(57)【特許請求の範囲】
【請求項１】
媒体を収納する媒体収納部と、下部に回動可能な支点を有し当該支点により前記媒体収納部を持ち上げる取っ手と、前記取っ手の支点と嵌合する嵌合穴を有する取っ手取付け部と、前記取っ手の一方方向への回動を抑制するストッパと、を備え、前記取っ手により着脱可能な媒体収納カセットにおいて、
前記嵌合穴は、上側ほど前記ストッパから離れ下側ほど前記ストッパ側になる斜めの長穴とし、
前記支点が前記嵌合穴の上部に当接した状態で前記取っ手が立ち上がったとき、該取っ手は前記ストッパに当接しないことを特徴とする媒体収納カセット。
【請求項２】
媒体を収納する媒体収納部と、支点を有する取っ手取付け部と、垂直状態において下部に前記支点と嵌合する嵌合穴を有し、回動可能な取っ手と、前記取っ手の一方向への回動を抑制するストッパと、を備え、前記取っ手により着脱可能な媒体収納カセットにおいて、
前記嵌合穴は、前記取っ手が垂直状態において、上側ほど前記ストッパから離れ下側ほど前記ストッパ側になる斜めの長穴とし、
前記支点が前記嵌合穴の下部に当接した状態で前記取っ手が立ち上がったとき、該取っ手は前記ストッパに当接しないことを特徴とする媒体収納カセット。
【請求項３】
請求項1または請求項２記載の媒体収納カセットを搭載したことを特徴とする媒体処理装置。
【発明の詳細な説明】
【技術分野】
【０００１】
本発明は、紙幣等の媒体の補充や回収などを行うための着脱可能な媒体収納カセットを備えた媒体処理装置に関するものである。
【背景技術】
【０００２】
従来の媒体処理装置、例えば、紙幣入出金機では、図５に示したように、図示しない操作モニタや入出金口、操作部等が設けられた操作カバー部１２と、後述のカセット収納庫２を内蔵した金庫ユニット１５とを備え、装置内部側面には図６に示したようにスライドレール６が備えられており、図７に示したように金庫ユニット１５を矢印Ａのように前面側へ引き出してカセット収納庫２内の紙幣収納カセット（以下「カセット」という）を着脱して紙幣の補充や回収などを行うことができるようになっている。
【０００３】
金庫ユニット１５の上部には紙幣をカセット１０３に搬入または搬出するための搬送ユニット４が設けられており、カセット収納庫２内のカセット１０３の着脱の際に、支点４ａを支軸として図６矢印Ｃのように回動して上部を開き、後述の取っ手５を持ってカセット１０３の媒体収納部としての紙幣収納部１１を図７矢印Ｂのように引き出すことができるようになっている。
【０００４】
そして、紙幣収納部１１の上部には着脱や運搬のための取っ手５が設けられており、図８（ｃ）に示したように、取っ手５の取っ手支点部６と篏合する篏合穴２０を取っ手取付け部１７に設けている。
【０００５】
そして、着脱や運搬の際には、図８（ａ）に示したように取っ手５を立ち上げた状態にして使用し、紙幣入出金機１にセットするときは、図８（ｂ）に示したように取っ手５を倒れた状態にした後、図７（ｂ）矢印Ｈ方向に搬送ユニット４を回動して閉じて、金庫ユニット１５を紙幣入出金機１内に戻せるようになっている（例えば、特許文献１参照）。
【０００６】
ところで、取っ手５が立ち上がった状態のまま、搬送ユニット４を閉じたり、金庫ユニット１５を紙幣集出金機１内に戻す操作を行うと、搬送ユニット４と取っ手５が衝突したり、搬送ユニット４が紙幣入出金機の筐体に衝突したりして、これらを破損してしまうことがあった。
【０００７】
上記のような操作ミスによる搬送ユニット４および取っ手５の破損を防ぐために、従来の紙幣入出金機１のカセット１０３では、取っ手５の上部を倒れる方向に突出させて重心をずらし、図８（ａ）矢印Ｅのように発生する重力により矢印Ｆ方向に倒れて図８（ｂ）のように取っ手５を収納するようにするとともに、倒れる方向とは反対側に取っ手５が回動しないようにストッパ９を設けた構造としていた。
【先行技術文献】
【特許文献】
【０００８】
【特許文献１】特開平０２−０１２５９２号公報
【発明の概要】
【発明が解決しようとする課題】
【０００９】
しかしながら、上記従来の媒体処理装置のカセット１０３では、カセット１０３を持ち上げたときに取っ手５がストッパ９に当接して当該当接位置を中心とした回転力が発生して篏合孔２０と取っ手支点部６に外力が掛かかり、これを繰り返すことにより、篏合穴２０または取っ手支点部６が変形したり、磨耗したり一部が破損したりして、取っ手５が倒れなくなるという問題があった。
【課題を解決するための手段】
【００１０】
本発明は、前述の課題を解決するために次の構成を採用する。すなわち、媒体を収納する媒体収納部と、下部に回動可能な支点を有し当該支点により前記媒体収納部を持ち上げる取っ手と、前記取っ手の支点と嵌合する嵌合穴を有する取っ手取付け部と、前記取っ手の一方方向への回動を抑制するストッパと、を備え、前記取っ手により着脱可能な媒体収納カセットにおいて、前記嵌合穴は、上側ほど前記ストッパから離れ下側ほど前記ストッパ側になる斜めの長穴とし、前記支点が前記嵌合穴の上部に当接した状態で前記取っ手が立ち上がったとき、該取っ手は前記ストッパに当接しないようにした。
【発明の効果】
【００１１】
本発明の自動取引装置によれば、以上のように構成したので、取っ手を持上げたときにストッパと取っ手が当接して発生する取っ手支点部に働く外力の発生をなくし、当該外力による取っ手支点部および篏合穴の変形、磨耗或いは一部破損をなくし、カセットをセットしたときに取っ手が必ずストッパと反対方向に倒れるようにすることができる。
【図面の簡単な説明】
【００１２】
【図１】実施例１の紙幣入出金機のカセットの構成および動作説明図である。
【図２】実施例１の紙幣入出金機のカセットの要部構成および動作説明図である。
【図３】実施例１の紙幣入出金機のカセットの要部構成および動作説明図である。
【図４】実施例１の変形例のカセットの要部構成図である。
【図５】紙幣入出金機の外観斜視図である。
【図６】紙幣入出金機およびカセットの構成図である。
【図７】紙幣入出金機およびカセットの構成および動作説明図である。
【図８】従来の紙幣入出金機のカセットの構成および動作説明図である。
【発明を実施するための形態】
【００１３】
以下、本発明に係わる実施の形態例を、図面を用いて説明する。図面に共通する要素には同一の符号を付す。なお、以下の説明では、金融機関等に設置され紙幣を取扱う紙幣入出金機を例として説明するが、硬貨を取扱う硬貨処理装置などにも本発明を適用することができる。
【実施例１】
【００１４】
（構成）
図１は、実施例１の紙幣入出金機１のカセット３の構成図を示す。同図に示したように、実施例１の紙幣入出金機１のカセット３は、従来のカセット１０３の取っ手取付け部１７に設けた丸穴の篏合穴２０に替えて、斜めの長穴の篏合穴１０をカセット３の媒体収納部としての紙幣収納部１１の上部の取っ手取付け部７に設けている。
【００１５】
この篏合穴１０は、取っ手５を持ってカセット３を持上げたときに取っ手５とストッパ９が当接して発生する外力をなくすために、取っ手５を持上げたときに取っ手支点部６がストッパ９から離れる方向、すなわち矢印Ｄのように傾斜しており、ストッパ９の下側に入り込むように配置されている。
【００１６】
なお、篏合穴１０は、取っ手付け部７の両側面を所定の深さにて設けた穴形状の長穴としてもよいし、貫通した長孔としてもよい。その他の構成は従来の紙幣入出金機１のカセット３と同様であるので簡略化のためにその詳細な説明は省略する。
【００１７】
（動作）
以上の構成により実施例１の紙幣入出金機１のカセット３は以下のように動作する。この動作を、前出図６、図７の紙幣入出金機の動作説明図、前出図１および図２、図３の実施例１のカセットの動作説明図を用いて以下詳細に説明する。なお、図１は取っ手５を持ってカセット３を持ち上げた状態であり、図２は取っ手５を離し取っ手５が倒れ始めた状態であり、図３は取っ手５が倒れた状態を示している。
【００１８】
まず、紙幣の補充や回収などを行うときは、図６（ａ）の矢印Ａのように紙幣入出金機１から金庫ユニット１５を引き出し、図６（ｂ）の矢印Ｃのように支点４ａを支点として搬送ユニット４を回動して開いた後、取っ手５を持って図７の矢印Ｂのようにカセット３を取り出す。
【００１９】
すると、取っ手５は、図１（ａ）に示すように立ち上がった状態となり、取っ手支点部６は矢印Ｄのように篏合穴１０内を移動し篏合穴１０の上部に当接し、カセット３が持ち上がる。
【００２０】
このとき、篏合穴１０の上部にて取っ手支点部６が当接するので、ストッパ９と取っ手５は当接することがなく、図８のように従来のカセット１０３にて発生していたストッパ９と取っ手５の当接による取っ手支点部６に働く外力は発生せず、篏合穴１０および取っ手支点部６の変形、磨耗や一部の破損の発生が抑制される。
【００２１】
一方、紙幣入出金機１にカセット３をセットするときは、取っ手５を持ってカセット収納部２にカセット３をセットして、取っ手５を放すと、図２に示したように取っ手支点部６が矢印Ｇのように篏合穴１０に沿って下降し篏合穴１０の下面に当接する。
【００２２】
このとき、取っ手５の上部がストッパ９とは反対方向に突出した形状となっており重心のずれにより矢印Ｅの力が作用し矢印Ｆ方向に倒れ、図３に示したように、取っ手取付け部７に収納される。
【００２３】
そして、図７（ｂ）矢印Ｈ方向に搬送ユニット４を回動して閉じて、金庫ユニット１５を紙幣入出金機１内に戻す。
【００２４】
なお、以上の実施例の説明では、取っ手５に取っ手支点部６を設け、取っ手取付け部７側に篏合穴１０を設けるように説明したが、図４の変形例に示したように、取っ手５側に穴または孔を備え篏合穴１０ｘとし、取っ手取付け部７側に突起部を備え取っ手支点部６ｘとするようにしてもよい。
【００２５】
（実施例１の効果）
以上のように、実施例１の紙幣入出金機のカセットによれば、媒体を収納する媒体収納部と、下部に回動可能な支点を有し当該支点により前記媒体収納部を持ち上げる取っ手と、前記取っ手の支点と篏合する篏合穴を有する取っ手取付け部と、前記取っ手の一方方向への回動を抑制するストッパと、を備え、前記取っ手により着脱可能な媒体収納カセットにおいて、前記篏合穴は、上側ほど前記ストッパから離れる斜めの長穴としたので、ストッパと取っ手が当接して発生する取っ手支点部に働く外力の発生をなくし、当該外力による取っ手支点部および篏合穴の変形、磨耗或いは一部破損をなくし、カセットをセットしたときに取っ手が必ずストッパと反対方向に倒れるようにすることができる。
【００２６】
また、下側が前記ストッパより奥に入り込む斜めの長穴としたので、取っ手が倒れたときに、ストッパの奥に取っ手が移動し、取っ手先端が紙幣収納部の外に飛び出すこともない。
【産業上の利用可能性】
【００２７】
以上述べたように、本発明は、紙幣等の媒体の補充や回収などを行うための着脱可能な媒体収納カセットを備えた媒体処理装置に広く用いることができる。
【符号の説明】
【００２８】
１    紙幣入出金機
２    カセット収納庫
３、１０３    カセット
４    搬送ユニット
５    取っ手
６、６ｘ    取っ手支点部
７、１７    取っ手取付け部
８    スライドレール
９    ストッパ
１０、１０ｘ、２０  篏合穴
１１  紙幣収納部
１５  金庫ユニット
【図１】
0005621411.tif 000002
【図２】
0005621411.tif 000003
【図３】
0005621411.tif 000004
【図４】
0005621411.tif 000005
【図５】
0005621411.tif 000006
【図６】
0005621411.tif 000007
【図７】
0005621411.tif 000008
【図８】
0005621411.tif 000009